(57)【要約】【課題】本発明は、密閉状態で加熱しても内部が所定の加熱状態であることを視覚に訴えて確実に報知し、異常加熱や破裂等を事前に防止することのできる蓋付き容器を提供することを課題とする。【解決手段】有底筒状の容器本体の内部を密閉する蓋体は、容器本体の周壁の上端部に封着される封着部と、容器本体の開口を閉塞する蓋部とを備え、水分を含んだ被収容物を収容した容器本体の周壁に封着部が封着された状態で、蓋部が容器本体の内部に陥落してなり、加熱時に所定の加熱状態である旨を報知する報知用フィルムを備えるとともに、前記蓋部は、加熱による内圧の上昇で変形して容器本体の上端から膨出可能に構成されてなり、報知用フィルムは、蓋体を容器本体の内側に介在させた状態で、容器本体の周壁の上端に掛け渡され、内圧上昇で変形する蓋体に押されて破断する破断手段が設けられてなる。【選択図】          図１
2004291982.tif 000002
【特許請求の範囲】
【請求項１】
有底筒状の容器本体と、容器本体の内部を密閉する蓋体とを備え、該蓋体は、容器本体の周壁の上端部に封着される封着部と、該封着部に外周縁部が連設されて容器本体の開口を閉塞する蓋部とを備え、水分を含んだ被収容物を収容した容器本体の周壁に前記封着部が封着された状態で、前記蓋部が封着部よりも容器本体の内部に陥落してなる蓋付き容器において、加熱時に所定の加熱状態である旨を報知する報知用フィルムを備えるとともに、前記蓋部は、加熱による内圧の上昇で変形して容器本体の上端から膨出可能に構成されてなり、前記報知用フィルムは、蓋体を容器本体の内側に介在させた状態で、容器本体の周壁の上端に掛け渡され、しかも加熱による内圧の上昇で変形する蓋体に押されて破断する破断手段が設けられてなることを特徴とする蓋付き容器。
【請求項２】
破断手段は、容器本体の中心線上を略中心として放射状に報知フィルムを破断可能に構成されてなる請求項１記載の蓋付き容器。
【請求項３】
破断手段は、ミシン目により構成されてなる請求項１又は２記載の蓋付き容器。
【請求項４】
報知用フィルムは、蓋部の色と異なる色に設定されてなる請求項１乃至３の何れかに記載の蓋付き容器。
【発明の詳細な説明】
【０００１】
【発明の属する技術分野】
本発明は、日本酒やホット飲料等の飲料や、即席麺等の食品等の水分を含んだ被収容物を封入する蓋付き容器に関する。
【０００２】
【従来の技術】
従来から日本酒等の飲料を封入する容器として、図９及び図１０に示す如く、有底筒状の容器本体５０と、該容器本体５０の上端開口を閉塞する蓋体５１とで構成された蓋付き容器５２が周知である。
【０００３】
前記日本酒等の飲料Ｄは、殺菌等の観点により、加熱した状態で容器本体５０に注ぎ込まれ、その後に容器本体５０に上端開口が蓋体５１で密閉されることにより、蓋付き容器５２に封入され、当該蓋付き容器５２が熱収縮性を有するフィルムＦで包装された状態で市場に流通されている。
【０００４】
ところで、上述の如く、飲料を加熱状態で蓋付き容器５２内に封入すると、当該飲料Ｄの温度低下に伴って蓋付き容器５２内が減圧し、この減圧に伴って容器本体５０及び蓋体５１（蓋付き容器５２）が変形するおそれがあるので、流通時等に容器本体５０や蓋体５１の外観が損なわれないように、飲料Ｄを加熱状態で封入する蓋付き容器５２には、種々の工夫が施されている。
【０００５】
具体的に説明すると、この種の蓋付き容器５２の蓋体５１は、シート成形されたものであり、容器本体５０の周壁の上端部に封着される封着部５６（以下、載置用鍔部という）と、該鍔部５６に外周縁部が連設され、容器本体５０の開口を閉塞する蓋部５７とを備えている。該蓋部５７は、容器本体５０の上端開口部内に嵌入される筒状の嵌入部５３と、嵌入部５３の一端開口を閉塞する閉塞部５４とを備えており、前記載置用鍔部５６は、嵌入部５３の他端に延設されている。
【０００６】
上記構成の該蓋体５１は、蓋部５７（閉塞部５４）を容器本体５０の上端開口部内に介在（陥落）させた状態で、載置用鍔部５６が容器本体５０の周壁の上端部（上端縁から外部に向けて延設された鍔部５５）に対して封着されることで、当該蓋付き容器５２内に飲料Ｄが封入されるようになっている。
【０００７】
このように飲料Ｄが封入された場合、飲料Ｄの液面と閉塞部５４との間には空間が形成されるようになっている。当該蓋付き容器は、液面と閉塞部５４との間に空間が形成されていても変形しないように構成されている。また、飲料Ｄの温度が低下して減圧状態になっても、シート成形された蓋体５１の嵌入部５３及び閉塞部５４が減圧に伴って変形することで、容器本体５０の変形を防止し、外観に影響がでないようになっている。
【０００８】
【発明が解決しようとする課題】
ところで、日本酒等の飲料Ｄは、飲み頃の温度（日本酒であれば、５０℃〜５５℃程度）に加熱してから飲まれることがある。
【０００９】
このように飲料Ｄを加熱するに際し、密閉状態の蓋付き容器５２を加熱して内部（飲料）が過加熱状態になると、蒸気等の発生により内圧が上昇して蓋付き容器５２が膨張して破裂する虞がある。そのため、蓋体５１の一部（例えば約１／３程度）を開封して蒸気を逃がすことができる状態で、飲料Ｄを蓋付き容器５２に入れたまま電子レンジや湯煎により加熱されるのが一般的である。
【００１０】
ところが、不注意により蓋体５１が開封されないまま加熱された場合、外部からは蓋付き容器５２内が過加熱状態となって破裂する虞のある状態であるか否かを判断することが困難であるため、図１１に示す如く、蓋付き容器５２を加熱しすぎて破裂させ、高温の飲料Ｄを飛び散らせて電子レンジ内を汚してしまう危険性があった。
【００１１】
また、飲食店やコンビニエンスストア等の店舗では、食品衛生上や流通の観点等から蓋体５２を閉じたまま加熱することが好ましいが、上述の如く、過加熱状態になると蓋付き容器５２が破裂する虞があるので、それを回避すべく蓋体５２を開封した状態で加熱しなければならなかった。
【００１２】
また、蓋付き容器５２が破裂しない場合でも、当該蓋付き容器５２内の加熱状態を認識することができないため、適温で飲食できなくなる場合もあった。
【００１３】
そこで、本発明は、斯かる実情に鑑み、密閉状態で加熱しても内部が所定の加熱状態であることを視覚に訴えて確実に報知し、異常加熱や破裂等を事前に防止することのできる蓋付き容器を提供することを課題とする。
【００１４】
【課題を解決するための手段】
本発明にかかる蓋付き容器は、請求項１記載の如く、有底筒状の容器本体と、容器本体の内部を密閉する蓋体とを備え、該蓋体は、容器本体の周壁の上端部に封着される封着部と、該封着部に外周縁部が連設されて容器本体の開口を閉塞する蓋部とを備え、水分を含んだ被収容物を収容した容器本体の周壁に前記封着部が封着された状態で、前記蓋部が封着部よりも容器本体の内部に陥落してなる蓋付き容器において、加熱時に所定の加熱状態である旨を報知する報知用フィルムを備えるとともに、前記蓋部は、加熱による内圧の上昇で変形して容器本体の上端から膨出可能に構成されてなり、前記報知用フィルムは、蓋体を容器本体の内側に介在させた状態で、容器本体の周壁の上端に掛け渡され、しかも加熱による内圧の上昇で変形する蓋体に押されて破断する破断手段が設けられてなることを特徴とする。なお、「封着」とは、当該蓋付き容器内を密閉状態にするように、接着剤を介して蓋体と容器本体とを接着したり、蓋体と容器本体とを熱溶着させたりすることをいい、「掛け渡され」とは、上端開口上を通過するように対向する周壁（筒状の嵌入部、及び容器本体の筒状の周壁の少なくとも何れか一方）の一方から他方に向けて跨った状態をいい、蓋体の蓋部の全てを隠蔽するように、容器本体の中心軸線と直交する全ての方向に掛け渡されて容器本体の開口を完全に閉塞した状態を含む概念である。また、「所定の加熱状態」とは、内部が適正温度になった状態や、該適正温度以上の過加熱状態等を含むものである。
【００１５】
上記蓋付き容器によれば、加熱による内圧の上昇で変形して容器本体の上端から膨出可能に構成された蓋体の蓋部を容器本体内に介在させた状態で、封着部が容器本体の周壁の上端部に封着され、しかも加熱時に所定の加熱状態である旨を報知する報知用フィルムが、蓋体を容器本体の内側に介在させた状態で、容器本体の周壁の上端に掛け渡されているので、蓋体を開封することなく、電子レンジや湯煎等により蓋付き容器を加熱した際に、加熱による飲料の気化等による内圧上昇により、容器本体内で陥落状体にある蓋部が容器本体の上端側へ移動するように変形し、加熱状態が進むにつれ、蓋部が容器本体の開口を跨ぐように掛け渡された報知用フィルムを押すこととなる。
【００１６】
そして、報知用フィルムには、蓋部に押されて破断する破断手段が設けられているので、加熱状態が進んで蓋部が容器本体から外部に膨出しようとすると（蓋部が容器本体の上端開口から外部に出ようとすると）、報知用フィルムは破断手段によって破断することとなる。このように報知フィルムが破断すると、加熱処理を施している者に対し、蓋付き容器内が所定の加熱状態であることを視覚に訴えて報知することとなる。なお、破断手段としては、ミシン目や、報知用フィルムの少なくとも何れか一方の面に溝を形成して部分的に厚みを薄くした構成等のような報知用フィルムの破断を促進させ得るものを採用することができる。
【００１７】
つまり、上記構成の蓋体は、前記封着部が封着された状態で、前記蓋部が封着部よりも容器本体の内部に陥落し、且つ加熱による内圧の上昇で変形して容器本体の上端から膨出可能に構成されているので、蓋部の変形は、当該蓋部が容器本体の上端から外部に膨出するまで可能であるが、上述の如く、報知用フィルムを破断させて所定の加熱状態であることを報知した状態においては、蓋部の変形は限界に達しておらず、蓋付き容器が破裂する前に余裕を持って内部が所定の加熱状態であることを視覚的に報知することができる。
【００１８】
さらに、請求項２記載の如く、破断手段は、容器本体の中心線上を略中心として放射状に報知フィルムを破断可能に構成されてなることが好ましい。このようにすれば、報知用フィルムは、蓋部に押されて複数の片に分断されて花びらのように呈して印象的なものとなるので、視覚に訴えるのに良好である。
【００１９】
また、請求項３記載の如く、破断手段は、ミシン目により構成されてなることが好ましい。このようにすれば、報知用フィルムは、変形した蓋部に押された際にミシン目に沿って破断することとなる。この際に、ミシン目が破断する音が発生することとなり、視覚のみならず、聴覚にも所定の加熱状態であることを訴えることができる。したがって、蓋付き容器を加熱している間、その状態を見ていなくとも所定の加熱状態を認識することができ、当該蓋付き容器の破裂を防止することができる。
【００２０】
さらに、請求項４記載の如く、報知用フィルムは、蓋部の色と異なる色に設定されてなることが好ましい。このようにすれば、報知用フィルムが破断した際に、当該報知用フィルムと異なった色の蓋部が露呈することとなり、蓋付き容器内が所定の加熱状態であることを視覚に強く訴えることができる。
【００２１】
【発明の実施の形態】
以下、本発明の一実施形態にかかる蓋付き容器について、添付図面を参照して説明する。
【００２２】
図１は、本実施形態にかかる蓋付き容器の全体斜視図を示し、図２は、当該蓋付き容器の断面図を示している。
【００２３】
かかる蓋付き容器は、水分を含んだ被収容物Ｄ（本実施形態においては日本酒）を封入する容器であり、有底筒状の容器本体１と、該容器本体１の上端開口を閉塞する蓋体２と、日本酒Ｄの加熱時に当該蓋付き容器内が所定の加熱状態であることを報知する報知用フィルム３とを備えている。なお、本実施形態における「所定の加熱状態」とは、蓋付き容器内が適正温度を超えて過加熱状態になりつつある状態という。
【００２４】
前記容器本体１は、ポリエチレンテレフタレート等のポリエステル（ＰＥＴ）が、ブロー成形や、シート成形、インジェクション成形等により成形されたものであり、基本として電子レンジによる加熱調理可能に構成されている。
【００２５】
該容器本体１は、周壁１０の上端部（上端開口縁部）に当該周壁１０の中心線と直交する方向で外側に延出した鍔部１１が形成されており、該鍔部１１は、容器本体１の上端面を形成している。
【００２６】
また、当該容器本体１は、周壁１０の下端に環状の載置部１２が延設されており、底部１３と当該蓋付き容器を載置する載置面Ｇとの間に空間を形成するようになっている。
【００２７】
前記蓋体２は、所定形状のＰＥＴ樹脂シートを、真空成形や圧空成形等によりシート成形したものである。該蓋体２は、容器本体１の上端部（前記鍔部１１）に封着される封着部である載置用鍔部２２と、該載置用鍔部２２に外周縁部が連設され、容器本体１の上端開口部を閉塞する蓋部２７とで構成されている。
【００２８】
該載置用鍔部２２は、中心線と直交する方向で外側に延出するように環状に形成されており、下面に前記容器本体１の鍔部１１に対し、密封性を高めてヒートシールできるようにイージーピール性を付与した接着剤（シーラント）が塗布されており、このシーラントは、Ａ−ＰＥＴ用シーラントが採用されている。さらに、載置用鍔部２２は、外周縁部から下方に向けて垂下して筒状をなす垂下部２３が形成されており、前記垂下部２３の外周の一部には、当該蓋体２を開封する際に把持する把持片２４が側方に向けて突出して形成されている（図２には図示していない）。
【００２９】
前記蓋部２７は、前記載置用鍔部２２を容器本体１の鍔部１１に封着した状態で、容器本体１の内部に陥落した状態となるようになっており、前記容器本体１の上端開口部に嵌入される筒状の嵌入部２０と、該嵌入部２０の一端開口を閉塞する閉塞部２１とで構成されている。
【００３０】
前記嵌入部２０は、他端が前記載置用鍔部２２の内周縁に接続されている。これにより、前記嵌入部２０及び前記垂下部２３は、所定間隔を有して対向して形成された状態となって、容器本体１の鍔部１１の上面に対して蓋体２の載置用鍔部２２の下面を当接させた際に、容器本体１の鍔部１１の内周が嵌入部２０の外周面に略接触し、且つ容器本体１の鍔部１１の外周が垂下部２３の内周面に略接触することで、当該蓋体２を位置決めするようになっている。
【００３１】
前記閉塞部２１は、円板状に形成されており、略中央部に蒸気抜穴２５が上下（厚み方向）に貫通して形成されている。該閉塞部２１の上面には、前記蒸気抜穴２５を閉塞するシール２６が接着剤を介して貼着されている。該シール２６は、前記蒸気抜穴２５を介して作用する蓋付き容器内の蒸気圧（内圧）が所定圧力になった際に、閉塞部２１から剥離して蓋付き容器内部と外部とを蒸気抜穴２５を介して連通させ、内部の蒸気を放出して内圧を下げるようになっている。なお、本実施形態においては、蓋付き容器内の内圧が、蓋体２（蓋部２７）の変形が限界に略達する程度の圧力になった際に、シール２６が剥離するように接着剤の接着強度が設定されている。
【００３２】
上記構成の蓋体２は、容器本体１に日本酒Ｄを充填し、該日本酒Ｄの液面と閉塞部２１の下面との間に空間を形成した状態で、鍔部１１（容器本体１の周壁１０の上端部）と載置用鍔部２２（嵌入部２０の他端部）とがヒートシールにより封着され、容器本体１の内部を密閉している。また、該蓋体２（蓋部２７）は、シート成形されたものであるため、当該蓋付き容器を加熱した際の内部の圧力上昇により、嵌入部２０の一端側及び閉塞部２１が嵌入部２０の他端側に向けて移動するように変形し、最終的には蓋部２７（嵌入部２０及び閉塞部２１）が容器本体１（周壁１０）の上端から外部に完全に突出（膨出）するまで変形できるようになっている。
【００３３】
前記報知用フィルム３は、図３に示す如く、後述するミシン目３０，３０で当該報知用フィルム３が破断する際に、注意を引く破断音（例えば、高音）を発生させるべく、厚みが１２μｍ〜１００μｍ（より好ましくは２０μｍ〜４０μｍ）に設定された無延伸ＰＳ（ポリスチレン系樹脂）からなる樹脂フィルムを載置用鍔部２２の外周形状に対応して円形に形成し、下面となる一方の面の外周縁部に当該報知フィルム３を蓋体２の載置用鍔部２２に対してヒートシール可能な接着剤（ＰＥＴ用シーラント）が塗布されたものである。
【００３４】
該報知用フィルム３には、内部の圧力上昇により変形する蓋体２（蓋部２７）に押されて破断するように構成された破断手段としてのミシン目３０，３０が設けられている。該報知用フィルム３は、蓋体２の色とは異なった色に設定されており、当該報知用フィルム３が破断して蓋体２が露呈した際に、蓋体２が露呈していることが明らかな色に設定されている。
【００３５】
前記ミシン目３０，３０は、二本形成されており、該二本のミシン目３０，３０は、当該報知用フィルム３の略中心を通って放射状に（本実施形態においては直交するように）形成されており、当該ミシン目３０，３０が破断した際に、破断音を発生させて報知用フィルム３を複数の片に分断するようになっている。
【００３６】
各ミシン目３０，３０は、図４に示す如く、線状をなす複数の切り込み３１が所定間隔を有して線状に配設されたものであり、本実施形態においては、単一の切り込み３１の長さＳ１が、約１．５ｍｍに設定され、該切り込み３１，３１同士の間隔Ｓ２が約１ｍｍに設定され、切り込み３１の長さＳ１と切り込み３１，３１間の間隔Ｓ２との関係が、Ｓ１＞Ｓ２の関係をなしている。
【００３７】
上記構成の報知用フィルム３は、報知用フィルム３は、前記ＰＥＴ用シーラントを介して外周縁部が容器本体１の上端面を構成する載置用鍔部２２の上面にヒートシールされ、嵌入部２０の他端開口（蓋部２を容器本体１内に介在させた状態で容器本体１の周壁１０の上端開口）を跨いで蓋部２７を隠蔽するように、蓋体２（鍔部１１）を介して容器本体１の周壁１０の上端に掛け渡されている。つまり、報知用フィルム３は、蓋部２７を隠蔽した状態で、容器本体１の上端面に沿って設けられている。
【００３８】
したがって、当該報知用フィルム３は、中心が容器本体１の略中心軸線に位置するように設けられており、蓋体２の嵌入部２０の他端（載置用鍔部２２）に全方向に向けて掛け渡されて当該他端開口を閉塞した状態をなしている。すなわち、当該報知用フィルム３は、容器本体１の中心軸線に対して直交する全ての方向で嵌入部２０の他端開口に跨って設けられている。
【００３９】
上記構成の蓋付き容器内の日本酒Ｄを加熱すべく、密封状態の蓋付き容器のまま電子レンジや湯煎等により加熱を行うと、図５（イ）に示す如く、蓋付き容器を介して日本酒Ｄが加熱されて気化し、内部の圧力が上昇し始め、蓋体２の嵌入部２０の一端側、及び閉塞部２１が容器本体１の上端側に移動（膨出）し始める。そして、さらに加熱が進んで内部が過加熱状態になり始めて内部圧力が上昇すると、蓋部２７（嵌入部２０及び閉塞部２１）が更に変形し、図５（ロ）に示す如く、閉塞部２１が報知用フィルム３の下面を押すこととなり、報知用フィルム３がミシン目３０，３０に沿って破断し始めることとなる。この状態においては、蓋体２の閉塞部２１が、容器本体１（周壁１０）の上端面（鍔部１１）と略面一、或いはそれよりやや上方に位置することとなる。
【００４０】
そして、さらに加熱が進み内部の圧力が更に上昇すると、図５（ハ）及び図６に示す如く、蓋体２が変形して嵌入部２０の一端側、及び閉塞部２１が容器本体１の上端面から上方（外側）に膨出しつつ、報知用フィルム３のミシン目３０，３０の大部分、或いは全てが破断することとなる。このように、蓋部２７に押されて報知用フィルム３が破断する際には、ミシン目３０，３０で破断する破断音、及び報知用フィルム３の変形による音が発生することとなる。そして、報知用フィルム３は、略三角形状をなす複数の片３’，３’…に分断され、花びらが開いたように呈するとともに、報知用フィルム３の各片３’，３’間に蓋体２が露呈することとなる。
【００４１】
したがって、報知用フィルム３の状態により、蓋体２を大きく変形させる程に蓋付き容器内が所定の加熱状態であることを視覚に訴えて報知することができ、加熱処理を止めさせることができる。また、報知用フィルム３の状態にのみならず、当該報知用フィルム３と異なった色の蓋体２が露呈することによっても、蓋体２を大きく変形させる程に蓋付き容器内が過加熱状態であることを視覚に訴え、加熱処理を行っている者に対し、加熱処理を停止させるように報知することができる。
【００４２】
また、加熱処理を行っている者が、不注意により報知用フィルム３の分断状態を見ていなくても、当該蓋付き容器を加熱している場所のそばにいれば、報知用フィルム３の破断に際しての破断音により、蓋体２を大きく変形させる程に蓋付き容器内が過加熱状態であることを聴覚に訴え、加熱処理を行っている者に対し、加熱処理を停止させるように報知することができる。
【００４３】
さらに、上記の如き状況であるにも拘わらず、加熱処理を行っている者が、不注意により報知用フィルム３による報知に気づかなかったり、蓋付き容器を加熱している場所から離れたりした場合に、更に加熱されて内部圧力が上昇して蓋体２の変形が限界に達しようとした際には、図５（ニ）に示す如く、内部圧力が閉塞部２１に形成された蒸気抜穴２５を介してシール２６に作用し、当該シール２６が剥離することとなる。そうすると、蓋付き容器内の蒸気等の気体が外部に放出されることとなり、当該蓋付き容器の破裂が防止されることとなる。
【００４４】
なお、上記の如く、図５（ハ）に示した報知用フィルム３の態様での報知で蓋付き容器内が過加熱状態であることを確実に報知することができるので、図５（ニ）に示したような蒸気（気体）放出は、過度の不注意による蓋付き容器の破裂を防止するための例外的な態様である。
【００４５】
以上のように上記構成の蓋付き容器よれば、容器本体１の上端部（鍔部１１）と蓋体２の嵌入部２０の封着部（載置用鍔部２２）とが封着されるとともに、報知用フィルム３が容器本体１の周壁１０に上端に掛け渡されて設けられ、該報知用フィルム３には、変形する蓋体２に押されることにより破断するように構成されたミシン目３０，３０が設けられているので、該蓋付き容器を加熱して内部が所定の加熱状態（過加熱状態）となって内部圧力が上昇した際に、蓋部２７の変形によって報知用フィルム３が破断されて蓋付き容器内が過加熱状態であることを視覚に訴えて報知し、蓋付き容器が破裂して電子レンジ内を汚す虞のある状況になる前に余裕をもって加熱処理を停止する旨を報知することができる。
【００４６】
さらに、報知用フィルム３が、蓋部２７の全面を覆うように設けられているので、蓋部２７が蓋付き容器の内部圧力によって不均一に変形した場合であっても、当該蓋体２は、報知用フィルム３の何れかの部分を押すことになり、当該報知用フィルム３を確実に破断させ、蓋付き容器内が過加熱状態であることを報知することができる。
【００４７】
また、報知用フィルム３は、ミシン目３０，３０が容器本体１の中心線上を略中心として放射状に破断できるように設けられているので、当該報知用フィルム３を複数の片３’，３’…に分断させることができ、視覚に訴えるのにインパクトのあるものにすることができる。これによって、当該蓋付き容器内（日本酒Ｄ）の過加熱状態を確実に認識させることができる。
【００４８】
さらに、報知用フィルム３を破断させる破断手段としてミシン目３０，３０が採用されているので、当該報知用フィルム３が破断する際に、破断音が発生し、当該蓋付き容器内（日本酒Ｄ）が過加熱状態であることを聴覚に訴えることができる。これによっても、蓋付き容器内が過加熱状態であることを報知することができる。
【００４９】
また、報知用フィルム３は、蓋体２の色と異なる色に設定されているので、当該報知用フィルム３が破断して露呈した蓋体２を確実に認識させることができ、これによっても蓋付き容器内（日本酒Ｄ）が過加熱状態であることを認識させることができる。
【００５０】
尚、本発明の蓋付き容器は、上記実施形態に限定されるものではなく、本発明の要旨を逸脱しない範囲内において種々変更を加え得ることは勿論である。
【００５１】
上記実施形態において、適温が５０℃〜５５℃である日本酒に対する最良の形態として容器本体１をＰＥＴで構成したが、これに限定されるものではなく、内容物の種類や所定の加熱温度（適温）に応じて、電子レンジで加熱ができるように、例えば、ＰＳ、ＰＰ（ポリプロピレン系）等の樹脂や紙等、或いはこれらを積層したもの等であってもよい。
【００５２】
また、蓋体２を形成するシートとしてＰＥＴ樹脂シートを採用したが、これに限定されるものではなく、例えば、ＰＳ、ＰＰ等や複層構成のシートを採用することができ、またＰＥＴにおいては、結晶性、非晶性ＰＥＴの何れも採用することができる。
【００５３】
さらに、報知用フィルム３を無延伸ＰＳで構成したが、これに限定されるものではなく、例えば、無延伸ＰＥＴ、延伸ＰＥＴ、延伸ＰＰ等を採用することもできる。ただし、蓋部２７に押されてミシン目３０を迅速且つ的確に破断させるには、無延伸のものを採用することが好ましい。
【００５４】
上記実施形態において、容器本体１と蓋体２とを溶着（封着）するのに、載置用鍔部２２にシーラントとしてＡ−ＰＥＴ用シーラントを採用し、また、蓋体２に報知用フィルム３を溶着するのに、ＰＥＴ用シーラントを採用したが、これらを溶着するためのシーラントは、これに限定されるものではなく、例えば、ＰＥＴや、ＰＰ、ＰＳ、ＰＥ（ポリエチレン系）、或いはこれらをブレンドしたものであってもよい。
【００５５】
上記実施形態において、蓋部２７の全面を覆うように報知用フィルム３を設けたが、これに限定されるものではなく、例えば、ミシン目３０，３０の設けられた報知用フィルム３を帯状に形成したり、嵌入部２０の他端開口を部分的に閉塞するように半円状に形成したりし、容器本体１の上端開口（嵌入部２０の他端開口）を跨ぐように、嵌入部２０の上端部間に掛け渡した状態で設けてもよい。なお、蓋体２は、閉塞部２１が外部に膨出するように変形するので、報知用フィルム３を容器本体１の中心軸線上を通過するように設けることが好ましい。
【００５６】
上記実施形態において、容器本体１の上端部に鍔部１１を設けるとともに、蓋体２の嵌入部の他端部に載置用鍔部２２を設け、当該載置用鍔部２２を容器本体１の鍔部１１に封着するようにしたが、これに限定されるものではなく、例えば、容器本体１の鍔部１１、及び蓋体２の載置用鍔部２２を設けずに、蓋体２の嵌入部２０の他端部を封着部に設定し、該封着部を容器本体１の周壁１０の上端部に直接封着するようにしてもよい。このようにしても、内部圧力が上昇して蓋体２が変形するに際し、閉塞部２１が容器本体１の周壁１０の上端から外部に向けて膨出するように変形し得るので、報知用フィルム３を押すことができ、上記実施形態を同様に、報知用フィルム３を破断して蓋付き容器内が所定の加熱状態である旨を報知することができる。
【００５７】
また、上記実施形態において、蓋体２の蓋部２７を嵌入部２０と、該嵌入部２０の一端開口を閉塞する閉塞部２１とで構成したが、蓋体２の蓋部２７は、これに限定されるものではなく、例えば、蓋部２７を一枚のシート状に形成するとともに、封着部を蓋部２７の外周縁に連設し、当該封着部を容器本体１の周壁に封着した状態で、蓋部２７が容器本体１側に凹状に撓んで、容器本体１内に陥落した（凹んだ）状態となったものでもよい。このようにしても、蓋付き容器内の内部圧力が上昇した際には、蓋部２７が容器本体１の上端から膨出しようとするので、当該蓋部２７で報知用フィルム３を押すことができ、該報知用フィルム３の破断手段（ミシン目３０）を破断させることができる。
【００５８】
また、容器本体１の周壁１０の上端部と蓋体２の嵌入部２０の他端部との封着は、ヒートシールによるものに限定されるものではなく、加熱することなく両者を接着するように、接着剤を介して容器本体１と蓋体２とを封着するようにしてもよい。
【００５９】
また、上記実施形態において、万一の事故発生を防止すべく、蓋体２の閉塞部２１に蒸気抜穴２５を形成するとともに、蓋付き容器内が所定圧力になるまで前記蒸気抜穴２５を閉塞するシール２６を閉塞部２１に貼着したが、これに限定されるものではなく、蒸気抜穴２５、及びシール２６は、必要に応じて設ければよい。つまり、報知用フィルム３の破断により、蓋付き容器内の過加熱状態を確実に認識させることができるので、蓋付き容器が破裂するといった事故発生の事前防止に万全に期す必要がある場合に、蒸気抜穴２５、及びシール２６を設ければよい。
【００６０】
上記実施形態において、報知用フィルム３を破断させる破断手段としてミシン目３０，３０を採用したが、これに限定されるものではなく、破断手段は、報知用フィルム３に溝を設け該報知用フィルム３の肉厚を部分的に薄くした構成であってもよい。
【００６１】
また、上記実施形態において、報知用フィルム３を破断させるミシン目３０，３０を二本設け、該ミシン目３０，３０を直交するように形成したが、これに限定されるものではなく、例えば、複数本のミシン目３０，３０を容器本体１の略中心軸線上で交差させて放射状に設けたり、図７に示す如く、容器本体１の中線軸線上を略通過するように一本のミシン目（破断手段）を設けたりしてもよい。
【００６２】
また、上記実施形態にかかるミシン目３０，３０は、長さＳ１が１．５ｍｍに設定された複数の線状の切り込み３１を１．０ｍｍの一定間隔Ｓ２で線状に配して構成したが、これに限定されるものではなく、例えば、切り込み３１の長さを１．５ｍｍより短くするとともに、切り込み３１，３１間の間隔Ｓ２を切り込み３１の長さＳ１よりも短くしてミシン目３０を構成したものや、切り込み３１の長さＳ１を１．５ｍｍ以上にして切り込み３１，３１間の間隔Ｓ２を切り込み３１の長さＳ１より短くしてミシン目３０を構成したもの等であってもよい。すなわち、ミシン目３０は、切り込み３１の長さＳ１と切り込み３１，３１間の間隔Ｓ２との関係が、切り込み３１の長さＳ１よりも切り込み３１，３１同士の間隔Ｓ２が小さく（Ｓ１＞Ｓ２）設定されたものであればよい。
【００６３】
また、ミシン目３０は、一定の長さに設定された複数の切り込み３１が一定間隔に配されたものに限定されるものではなく、例えば、図８（イ）に示す如く、長さＳ１，Ｓ１’が長短二種類に設定された切り込み３１ａ，３１ｂを所定間隔Ｓ２を有して交互に配していわゆる一点鎖線状に構成したものや、図８（ロ）にしめす如く、長さＳ１，Ｓ１’が長短二種類に設定された切り込み３１ａ，３１ｂのうちの、長手の切り込み３１ａ，３１ａ間に、短手の切り込み３１ｂ，３１ｂを二つ形成し、いわゆる二点鎖線状に構成したもの等であってもよい。この場合においては、短手の切り込み３１ｂの長さＳ１’を基準にし、当該各切り込み３１ａ，３１ｂ間の間隔Ｓ２を短手の切り込み３１ｂの長さより短くするようにすればよい。
【００６４】
上記実施形態において、報知用フィルム３の色を蓋体２の色と異なった色に設定したが、これに限定されるものではなく、同色であってもよい。ただし、蓋付き容器内の過加熱状態を確実に視認させるには、上記実施形態にように異なる色に設定することが好ましい。
【００６５】
上記実施形態において、蓋付き容器に日本酒Ｄを封入したが、これに限定されるものではなく、加熱して飲まれることのある他のアルコール飲料やノンアルコール飲料（例えば、コーヒーや紅茶等）等であってもよい。また、蓋付き容器に収容するものは、電子レンジにて加熱調理する水分の含んだ即席麺やスープ等の食品でも良く、この場合においても、前記報知用フィルム３を設けることは、食品の加熱状態を視認するのに有効である。つまり、当該蓋付き容器を収容するものは、水分を含んだものであればよい。
【００６６】
上記実施形態において、報知用フィルム３を蓋体２の上端面（載置用鍔部２２）にヒートシールしたが、これに限定されるものではなく、例えば、容器本体１の上端部及び蓋体２の他端部の両方ともに貼着（ヒートシール、接着剤を介しての接着）したり、報知用フィルム３の端部を蓋体２の上端を介して容器本体１の上端部（周壁１０の上端部）のみに貼着してもよい。また、該報知用フィルム３と容器本体１又は蓋体２との接合は、熱溶着に限定されるものではなく、接着剤を介して接着するようにしてもよい。
【００６７】
上記実施形態において、報知用フィルム３の破断により、蓋付き容器内が過加熱状態になりつつある旨を報知するようにしたが、これに限定されるものではなく、内部の収容物が所定の温度になった際に、報知フィルム３を破断せさ、適正温度になった旨等を報知するようにしてもよい。この場合、蓋体２の蓋部２７の容器本体１内への陥落量、報知用フィルム３の破断手段の破断のし易さ等を調整することで適宜所定の加熱状態を報知することができる。
【００６８】
【発明の効果】
以上のように、本発明にかかる蓋付き容器によれば、有底筒状の容器本体と、容器本体の内部を密閉する蓋体とを備え、該蓋体は、容器本体の周壁の上端部に封着される封着部と、該封着部に外周縁部が連設されて容器本体の開口を閉塞する蓋部とを備え、水分を含んだ被収容物を収容した容器本体の周壁に前記封着部が封着された状態で、前記蓋部が封着部よりも容器本体の内部に陥落してなる蓋付き容器において、加熱時における所定の加熱状態を報知する報知用フィルムを備えるとともに、前記蓋部は、加熱による内圧の上昇で変形して容器本体の上端から膨出可能に構成されてなり、前記報知用フィルムは、蓋体を容器本体の内側に介在させた状態で、容器本体の周壁の上端に掛け渡され、しかも加熱による内圧の上昇で変形する蓋体に押されて破断する破断手段が設けられているので、密閉状態で加熱しても内部が所定の加熱状態であることを視覚に訴えて確実に報知し、異常加熱や破裂等を事前に防止することができる。
【図面の簡単な説明】
【図１】本発明の一実施形態にかかる蓋付き容器の全体斜視図を示す。
【図２】同実施形態にかかる蓋付き容器の断面側面図を示す。
【図３】同実施形態にかかる蓋付き容器の平面図を示す。
【図４】同実施形態にかかる報知用フィルムに設けられたミシン目を説明するための説明図を示す。
【図５】同実施形態にかかる蓋付き容器を加熱する際の状態断面図であって、（イ）は、加熱初期の状態を示し、（ロ）は、蓋付き容器内が過加熱状態になるつつある状態を示し、（ハ）は、蓋付き容器内が過加熱状態を報知している状態を示し、（ニ）は、蓋付き容器内が過加熱状態になりすぎて内部の蒸気等の気体を外部に放出している状態を示す。
【図６】同実施形態にかかる蓋付き容器の全体斜視図であって、蓋付き容器内が過加熱状態であることを報知している状態を示す。
【図７】本発明の他実施形態にかかる蓋付き容器の平面図を示す。
【図８】他のミシン目の形態を説明する説明図であって、（イ）は、一点鎖線状に形成されたミシン目を示し、（ロ）は、二点鎖線状に形成されたミシン目を示す。
【図９】従来の蓋付き容器の全体斜視図を示す。
【図１０】従来の蓋付き容器の断面側面図を示す。
【図１１】従来の蓋付き容器の側面断面図であって、内部が過加熱状態になって破裂する際の形態の一例を示す。
【符号の説明】
１…容器本体、１０…周壁、１１…鍔部（上端部）、１２…載置部、１３…底部、２…蓋体、２０…嵌入部、２１…閉塞部、２２…載置用鍔部、２３…垂下部、２４…把持片、２５…蒸気抜穴、２６…シール、２７…蓋部、３…報知用フィルム、３０…ミシン目（破断手段）、３１，３１ａ，３１ａ…切り込み、Ｄ…日本酒（飲料）
【図１】
2004291982.tif 000003
【図２】
2004291982.tif 000004
【図３】
2004291982.tif 000005
【図４】
2004291982.tif 000006
【図５】
2004291982.tif 000007
【図６】
2004291982.tif 000008
【図７】
2004291982.tif 000009
【図８】
2004291982.tif 000010
【図９】
2004291982.tif 000011
【図１０】
2004291982.tif 000012
【図１１】
2004291982.tif 000013